(57)【要約】【課題】ユーザーに煩わしさを感じさせないようにする。【解決手段】読取部及び原稿供給部を含む本体と、該本体の支持部と、本体を傾きが互いに異なる複数の保持姿勢に切り替え可能な姿勢切替部と、を備える画像読取装置は、原稿の種類にそれぞれ対応する複数のモードに切り替え可能なモード切替部と、保持姿勢とモードとの許容される第一組合せであることを示す第一画面及び保持姿勢とモードとの禁止される第二組合せであることを示す第二画面を表示可能な表示部と、制御部と、を備える。制御部は、第一組合せでない状態から第一組合せの状態に切り替わると第一画面を表示部に表示させ、第一組合せの状態への切り替わり時点から第一画面が表示されるまでの第一時間よりも長い時間を第二時間として、第二組合せでない状態から第二組合せの状態に切り替わってから第二時間が経過した後、第二画面を表示部に表示させる。【選択図】図７
2020191611.tif 000002
【特許請求の範囲】
【請求項１】
原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、を備える画像読取装置であって、
前記原稿の種類にそれぞれ対応する複数のモードに切り替え可能なモード切替部と、
前記保持姿勢と前記モードとの許容される第一組合せであることを示す第一画面、及び、前記保持姿勢と前記モードとの禁止される第二組合せであることを示す第二画面を表示可能な表示部と、
該表示部による表示を制御する制御部と、を備え、
前記制御部は、
前記第一組合せでない状態から前記第一組合せの状態に切り替わると前記第一画面を前記表示部に表示させ、
前記第一組合せの状態への切り替わり時点から前記第一画面が表示されるまでの第一時間よりも長い時間を第二時間として、前記第二組合せでない状態から前記第二組合せの状態に切り替わってから前記第二時間が経過した後、前記第二画面を前記表示部に表示させる、
画像読取装置。
【請求項２】
前記制御部は、前記第二時間が経過する前に前記第二組合せの状態から前記第一組合せの状態に変わると、前記第一画面を前記表示部に表示させる、
請求項１に記載の画像読取装置。
【請求項３】
前記制御部は、前記第二組合せの状態において前記第二時間が経過する前に前記原稿の読み取り指示を受け付けると、前記第二画面を前記表示部に表示させる、
請求項１又は請求項２に記載の画像読取装置。
【請求項４】
前記第二組合せの状態に切り替わってから前記保持姿勢が切り替わることにより前記第一組合せの状態になる場合の前記第二時間は、前記第二組合せの状態に切り替わってから前記モードが切り替わることにより前記第一組合せの状態になる場合の前記第二時間よりも長い、
請求項１〜請求項３のいずれか一項に記載の画像読取装置。
【請求項５】
前記制御部は、前記本体が前記複数の保持姿勢のいずれにも保持されていない場合に前記本体が前記複数の保持姿勢のいずれにも保持されていないことを示す第三画面を前記表示部に表示させる、
請求項１〜請求項４のいずれか一項に記載の画像読取装置。
【請求項６】
前記本体の姿勢を検出する姿勢検出部をさらに備え、
前記制御部は、
前記姿勢検出部により検出される前記姿勢と、前記モード切替部により示される前記モードと、が前記第一組合せでない状態から前記第一組合せの状態に切り替わると前記第一画面を前記表示部に表示させ、
前記姿勢検出部により検出される前記姿勢と、前記モード切替部により示される前記モードと、が前記第二組合せでない状態から前記第二組合せの状態に切り替わってから前記第二時間が経過した後、前記第二画面を前記表示部に表示させる、
請求項１〜請求項５のいずれか一項に記載の画像読取装置。
【請求項７】
原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、を備える画像読取装置であって、
前記原稿の種類にそれぞれ対応する複数のモードに切り替え可能なモード切替部と、
前記保持姿勢と前記モードとの許容される第一組合せであることを示す第一画面、及び、前記保持姿勢と前記モードとの禁止される第二組合せであることを示す第二画面を表示可能な表示部と、
該表示部による表示を制御する制御部と、を備え、
前記制御部は、前記第二組合せでない状態から前記第二組合せの状態に切り替わっても前記第二画面を前記表示部に表示させず、前記第二組合せの状態において前記原稿の読み取り指示を受け付けると前記第二画面を前記表示部に表示させる、
画像読取装置。
【請求項８】
原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、前記原稿の種類にそれぞれ対応する複数のモードに切り替え可能なモード切替部と、画面を表示する表示部と、を備える画像読取装置の制御方法であって、
前記表示部は、前記保持姿勢と前記モードとの許容される第一組合せであることを示す第一画面、及び、前記保持姿勢と前記モードとの禁止される第二組合せであることを示す第二画面を表示可能であり、
前記制御方法は、
前記第一組合せでない状態から前記第一組合せの状態に切り替わると前記第一画面を前記表示部に表示させる第一工程と、
前記第一組合せの状態への切り替わり時点から前記第一画面が表示されるまでの第一時間よりも長い時間を第二時間として、前記第二組合せでない状態から前記第二組合せの状態に切り替わってから前記第二時間が経過した後、前記第二画面を前記表示部に表示させる第二工程と、を含む、
制御方法。
【発明の詳細な説明】
【技術分野】
【０００１】
本発明は、本体を複数の姿勢に切り替え可能な画像読取装置、及び、その制御方法に関する。
【背景技術】
【０００２】
画像読取装置として、特許文献１に画像データ変換装置と給紙装置を含む画像化装置本体の傾斜角を複数の傾斜角位置の１つに調節可能な文書画像化装置が開示されている。画像化装置本体は、支持台に旋回可能に結合されている。
【先行技術文献】
【特許文献】
【０００３】
【特許文献１】特表２００９−５２７１４３号公報
【発明の概要】
【発明が解決しようとする課題】
【０００４】
原稿の種類に応じて給紙モードを設定する場合、原稿を送る精度の点から、本体の傾斜角に応じて組み合わせない方が好ましい給紙モードが存在する。例えば、本体の傾斜が垂直に近い第一傾斜角である場合、薄紙を給紙することに向かないため、第一傾斜角と薄紙給紙モードとを組み合わせない方が好ましい。また、本体の傾斜が緩い第二傾斜角である場合も、第二傾斜角と組み合わせない方が好ましい給紙モードが存在し得る。そこで、好ましくない組合せをサポートされない組合せとして案内する画面を表示することが考えられる。
【０００５】
ここで、第一傾斜角と第一給紙モードの組合せ、及び、第二傾斜角と第二給紙モードの組合せがサポートされ、第一傾斜角と第二給紙モードの組合せ、及び、第二傾斜角と第一給紙モードの組合せがサポートされないとする。第一傾斜角と第一給紙モードの組合せから第二傾斜角と第二給紙モードの組合せに切り替える場合、先に本体の傾斜角を切り替えてから給紙モードを切り替えるか、先に給紙モードを切り替えてから本体の傾斜角を切り替えることになる。いずれの場合も、一時的にサポートされない組合せになる。この場合、非サポートの案内画面が表示されることは、ユーザーに煩わしさを感じさせる。
【課題を解決するための手段】
【０００６】
本発明の画像読取装置は、原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、を備える画像読取装置であって、
前記原稿の種類にそれぞれ対応する複数のモードに切り替え可能なモード切替部と、
前記保持姿勢と前記モードとの許容される第一組合せであることを示す第一画面、及び、前記保持姿勢と前記モードとの禁止される第二組合せであることを示す第二画面を表示可能な表示部と、
該表示部による表示を制御する制御部と、を備え、
前記制御部は、
前記第一組合せでない状態から前記第一組合せの状態に切り替わると前記第一画面を前記表示部に表示させ、
前記第一組合せの状態への切り替わり時点から前記第一画面が表示されるまでの第一時間よりも長い時間を第二時間として、前記第二組合せでない状態から前記第二組合せの状態に切り替わってから前記第二時間が経過した後、前記第二画面を前記表示部に表示させる、
態様を有する。
【０００７】
また、本発明の画像読取装置は、原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、を備える画像読取装置であって、
前記原稿の種類にそれぞれ対応する複数のモードに切り替え可能なモード切替部と、
前記保持姿勢と前記モードとの許容される第一組合せであることを示す第一画面、及び、前記保持姿勢と前記モードとの禁止される第二組合せであることを示す第二画面を表示可能な表示部と、
該表示部による表示を制御する制御部と、を備え、
前記制御部は、前記第二組合せでない状態から前記第二組合せの状態に切り替わっても前記第二画面を前記表示部に表示させず、前記第二組合せの状態において前記原稿の読み取り指示を受け付けると前記第二画面を前記表示部に表示させる、
態様を有する。
【０００８】
さらに、本発明の制御方法は、原稿を読み取る読取部及び該読取部に前記原稿を供給する原稿供給部を含む本体と、該本体を支持する支持部と、前記本体を傾きが互いに異なる複数の保持姿勢に切り替え可能な姿勢切替部と、前記原稿の種類にそれぞれ対応する複数のモードに切り替え可能なモード切替部と、画面を表示する表示部と、を備える画像読取装置の制御方法であって、
前記表示部は、前記保持姿勢と前記モードとの許容される第一組合せであることを示す第一画面、及び、前記保持姿勢と前記モードとの禁止される第二組合せであることを示す第二画面を表示可能であり、
前記制御方法は、
前記第一組合せでない状態から前記第一組合せの状態に切り替わると前記第一画面を前記表示部に表示させる第一工程と、
前記第一組合せの状態への切り替わり時点から前記第一画面が表示されるまでの第一時間よりも長い時間を第二時間として、前記第二組合せでない状態から前記第二組合せの状態に切り替わってから前記第二時間が経過した後、前記第二画面を前記表示部に表示させる第二工程と、を含む、
態様を有する。
【図面の簡単な説明】
【０００９】
【図１】各保持姿勢の本体を備える画像読取装置の例を模式的に示す図。
【図２】本体の保持機構の例を模式的に示す図。
【図３】本体の正面の例を模式的に示す図。
【図４】画像読取システムの構成例を模式的に示すブロック図。
【図５】図５Ａ，５Ｂは許可される第一組合せから禁止される第二組合せを経て別の第一組合せに切り替える例を模式的に示す図。
【図６】画面の変化例を模式的に示す図。
【図７】第一画面と第二画面の表示タイミングの例を模式的に示す図。
【図８】第二画面の表示タイミングの例を模式的に示す図。
【図９】画面の変化例を模式的に示す図。
【図１０】制御部が行う画面案内処理の例を示すフローチャート。
【図１１】操作に応じた画面の表示例を模式的に示す図。
【図１２】操作に応じた画面の表示例を模式的に示す図。
【図１３】操作に応じた画面の表示例を模式的に示す図。
【図１４】操作に応じた画面の表示例を模式的に示す図。
【図１５】制御部が行う画面案内処理の別の例を示すフローチャート。
【図１６】制御部が行う画面案内処理の別の例を示すフローチャート。
【図１７】画面の変化例を模式的に示す図。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本発明に含まれる技術の概要：
まず、図１〜１７に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。「本発明に含まれる技術の概要」において、括弧内は直前の語の補足説明を意味する。
【００１２】
態様１：
図１，３，４等に例示するように、本技術の一態様に係る画像読取装置１０は、原稿ＯＲ１を読み取る読取部２０及び該読取部２０に前記原稿ＯＲ１を供給する原稿供給部２５を含む本体３０と、該本体３０を支持する支持部４０と、前記本体３０を傾きが互いに異なる複数の保持姿勢Ｐ０に切り替え可能な姿勢切替部５０と、を備える画像読取装置１０であって、モード切替部６０と、表示部１８と、制御部１１と、を備える。前記モード切替部６０は、前記原稿ＯＲ１の種類にそれぞれ対応する複数のモードＭ０に切り替え可能である。前記表示部１８は、前記保持姿勢Ｐ０と前記モードＭ０との許容される第一組合せＣＯ１であることを示す第一画面Ｄ１、及び、前記保持姿勢Ｐ０と前記モードＭ０との禁止される第二組合せＣＯ２であることを示す第二画面Ｄ２を表示可能である。前記制御部１１は、前記第一組合せＣＯ１でない状態から前記第一組合せＣＯ１の状態に切り替わると前記第一画面Ｄ１を前記表示部１８に表示させる。ここで、図７等に例示するように、前記第一組合せＣＯ１の状態への切り替わり時点から前記第一画面Ｄ１が表示されるまでの第一時間Ｔ１よりも長い時間を第二時間Ｔ２とする。前記制御部１１は、前記第二組合せＣＯ２でない状態から前記第二組合せＣＯ２の状態に切り替わってから前記第二時間Ｔ２が経過した後、前記第二画面Ｄ２を前記表示部１８に表示させる。
【００１３】
以上より、本体３０の姿勢とモードＭ０とが一時的にサポートされていない組合せになっても、即座には非サポートを示す第二画面Ｄ２に切り替わらない。従って、本態様は、ユーザーに煩わしさを感じさせない画像読取装置を提供することができる。
【００１４】
ここで、画像読取装置には、スキャナー、ファクシミリ、原稿の読み取り機能と画像データの出力機能を備える複合機、等が含まれる。
第一組合せでない状態には、第二組合せの状態に限定されず、本体の姿勢が複数の保持姿勢のいずれでもない状態等が含まれる。第二組合せでない状態には、第一合せの状態に限定されず、本体の姿勢が複数の保持姿勢のいずれでもない状態等が含まれる。
第一組合せの状態への切り替わり時点から第一画面が表示されるまでの第一時間は、人間の目で認識可能な時間に限定されず、ミリ秒オーダー以下の時間でもよい。
本願における「第一」、「第二」、「第三」、…は、各構成要素を識別するための用語であり、順番を意味しない。
尚、上述した付言は、以下の態様においても適用される。
【００１５】
態様２：
図１０等に例示するように、前記制御部１１は、前記第二時間Ｔ２が経過する前に前記第二組合せＣＯ２の状態から前記第一組合せＣＯ１の状態に変わると、前記第一画面Ｄ１を前記表示部１８に表示させてもよい。この態様は、本体３０の姿勢とモードＭ０とがサポートされている組合せになるとサポートを示す第一画面Ｄ１が表示されるので、より適切に画像読取装置の状態を把握することができる。
【００１６】
態様３：
図１５に例示するように、前記制御部１１は、前記第二組合せＣＯ２の状態において前記第二時間Ｔ２が経過する前に前記原稿ＯＲ１の読み取り指示（例えばステップＳ１４２，Ｓ１４４）を受け付けると、前記第二画面Ｄ２を前記表示部１８に表示させてもよい。この態様は、本体３０の姿勢とモードＭ０とがサポートされていない組合せとなってから第二時間Ｔ２が経過する前であっても原稿ＯＲ１の読み取り指示に対して非サポートを示す第二画面Ｄ２が表示されるので、より適切に画像読取装置の状態を把握することができる。
【００１７】
態様４：
図８等に例示するように、前記第二組合せＣＯ２の状態に切り替わってから前記保持姿勢Ｐ０が切り替わることにより前記第一組合せＣＯ１の状態になる場合の前記第二時間（例えば図８の下部に示す第二時間Ｔ２２）は、前記第二組合せＣＯ２の状態に切り替わってから前記モードＭ０が切り替わることにより前記第一組合せＣＯ１の状態になる場合の前記第二時間（例えば図８の上部に示す第二時間Ｔ２１）よりも長くてもよい。
本体３０の保持姿勢Ｐ０を切り替える操作は、モードＭ０を切り替える操作よりも時間がかかる。上記態様４は、本体３０の保持姿勢Ｐ０を切り替える操作の前に非サポートを示す第二画面Ｄ２に切り替わったり、モードＭ０を切り替えない時間が長くても非サポートを示す第二画面Ｄ２が表示されなかったりするという、煩わしさ等を感じさせないようにすることができる。
【００１８】
態様５：
図９等に例示するように、前記制御部１１は、前記本体３０が前記複数の保持姿勢Ｐ０のいずれにも保持されていない場合に前記本体３０が前記複数の保持姿勢Ｐ０のいずれにも保持されていないことを示す第三画面Ｄ３を前記表示部１８に表示させてもよい。この態様は、本体３０が複数の保持姿勢Ｐ０のいずれにも保持されていないことを示す第三画面Ｄ３が表示されるので、より適切に画像読取装置の状態を把握することができる。
【００１９】
態様６：
図４に例示するように、本画像読取装置１０は、前記本体３０の姿勢を検出する姿勢検出部５５をさらに備えていてもよい。前記制御部１１は、前記姿勢検出部５５により検出される前記姿勢と、前記モード切替部６０により示される前記モードＭ０と、が前記第一組合せＣＯ１でない状態から前記第一組合せＣＯ１の状態に切り替わると前記第一画面Ｄ１を前記表示部１８に表示させてもよい。当該制御部１１は、前記姿勢検出部５５により検出される前記姿勢と、前記モード切替部６０により示される前記モードＭ０と、が前記第二組合せＣＯ２でない状態から前記第二組合せＣＯ２の状態に切り替わってから前記第二時間Ｔ２が経過した後、前記第二画面Ｄ２を前記表示部１８に表示させてもよい。本態様は、第一組合せＣＯ１に含まれる保持姿勢、及び、第二組合せＣＯ２に含まれる保持姿勢が姿勢検出部５５により検出されるので、より適切なタイミングで第一画面Ｄ１及び第二画面Ｄ２を表示部１８に表示させることができる。従って、本態様は、より適切に画像読取装置の状態を把握することができる。
【００２０】
態様７：
ところで、図１６に例示するように、本技術の別の態様に係る画像読取装置１０において、前記制御部１１は、前記第二組合せＣＯ２でない状態から前記第二組合せＣＯ２の状態に切り替わっても前記第二画面Ｄ２を前記表示部１８に表示させず、前記第二組合せＣＯ２の状態において前記原稿ＯＲ１の読み取り指示を受け付けると前記第二画面Ｄ２を前記表示部１８に表示させる。これにより、本体３０の姿勢とモードＭ０とが一時的にサポートされていない組合せになっても原稿ＯＲ１の読み取り指示があるまでは非サポートを示す第二画面Ｄ２に切り替わらない。従って、本態様は、ユーザーに煩わしさを感じさせない画像読取装置を提供することができる。
【００２１】
態様８：
また、図７等に例示するように、本技術の一態様に係る制御方法は、画像読取装置１０の制御方法であって、第一工程ＳＴ１と第二工程ＳＴ２を含む。前記第一工程ＳＴ１では、前記第一組合せＣＯ１でない状態から前記第一組合せＣＯ１の状態に切り替わると前記第一画面Ｄ１を前記表示部１８に表示させる。ここで、前記第一組合せＣＯ１の状態への切り替わり時点から前記第一画面Ｄ１が表示されるまでの第一時間Ｔ１よりも長い時間を第二時間Ｔ２とする。前記第二工程ＳＴ２では、記第二組合せＣＯ２でない状態から前記第二組合せＣＯ２の状態に切り替わってから前記第二時間Ｔ２が経過した後、前記第二画面Ｄ２を前記表示部１８に表示させる。
【００２２】
以上より、本体３０の姿勢とモードＭ０とが一時的にサポートされていない組合せになっても即座には非サポートを示す第二画面Ｄ２に切り替わらない。従って、本態様は、ユーザーに煩わしさを感じさせない画像読取装置の制御方法を提供することができる。
【００２３】
さらに、本技術は、画像読取装置を含む画像読取システム、画像読取システムの制御方法、画像読取装置の制御プログラム、画像読取システムの制御プログラム、前述のいずれかの制御プログラムを記録したコンピューター読み取り可能な媒体、等に適用可能である。画像読取装置や画像読取システムは、分散した複数の部分で構成されてもよい。
【００２４】
（２）画像読取装置の具体例：
図１は、傾きが互いに異なる複数の保持姿勢Ｐ０をとり得る本体３０を備える画像読取装置１０を模式的に例示している。図２は、本体３０の保持機構を模式的に例示している。図３は、本体３０の正面を模式的に例示している。図３の上部には、モード切替部６０の拡大図が示されている。図４は、画像読取装置１０を含む画像読取システムＳＹ１の構成を模式的に例示している。図４に示す画像読取システムＳＹ１は、画像読取装置１０と１以上の外部端末１００を含んでいる。
【００２５】
画像読取装置１０は、本体３０、該本体３０の支持部４０、及び、本体３０の姿勢切替部５０を備えている。本体３０は、原稿ＯＲ１を読み取る読取部２０、及び、該読取部２０に原稿ＯＲ１を供給する原稿供給部２５を含んでいる。支持部４０は、本体３０を支持する。姿勢切替部５０は、本体３０を傾きが互いに異なる複数の保持姿勢Ｐ０に切り替え可能である。図１，２に示す複数の保持姿勢Ｐ０は、原稿ＯＲ１の搬送経路２８が最も水平に近い略水平姿勢Ｐ１、該略水平姿勢Ｐ１よりも経路２８の傾斜が急な標準姿勢Ｐ２、及び、経路２８が最も垂直に近い収納姿勢Ｐ３を含んでいる。略水平姿勢Ｐ１は、薄紙といった、傾斜が急な給紙トレイ２６では給紙の精度が低い原稿の読み取りに適した姿勢である。標準姿勢Ｐ２は、定型紙といった、傾斜が急な給紙トレイ２６で円滑に給紙される原稿の読み取りに適した姿勢である。収納姿勢Ｐ３は、画像読取装置１０の設置面積が最も少なく保管に適した姿勢である。尚、略水平姿勢Ｐ１は、完全に水平な姿勢に限定されず、標準姿勢Ｐ２よりも水平に近い姿勢であれば傾斜姿勢でもよい。
【００２６】
また、画像読取装置１０は、モード切替部６０、表示部１８、及び、制御部１１を備えている。これらの要素は、本体３０と支持部４０のどちらに有ってもよく、本体３０と支持部４０に跨がって存在してもよい。以下の説明では、これらの要素６０，１８，１１が本体３０に有るものとする。モード切替部６０は、原稿ＯＲ１の種類にそれぞれ対応する複数の給紙モードＭ０に切り替え可能である。図３に示す複数の給紙モードＭ０は、薄紙といった原稿を読み取る略水平給紙モードＭ１、定型紙といった、一般的に使用される原稿を読み取る標準給紙モードＭ２、及び、冊子やパスポート等といった原稿を１枚ずつセットして読み取る手差し給紙モードＭ３を含んでいる。略水平給紙モードＭ１は、標準姿勢Ｐ２での読み取りが禁止され、略水平姿勢Ｐ１でのみ読み取りが許容される。これは、標準姿勢Ｐ２の給紙トレイ２６では給紙の精度が低くなる原稿の読み取りを高精度にするためである。標準給紙モードＭ２は、略水平姿勢Ｐ１での読み取りが禁止され、標準姿勢Ｐ２でのみ読み取りが許容される。これは、定型紙といった、一般的に使用される原稿の読み取りを高精度にするためである。手差し給紙モードＭ３は、略水平姿勢Ｐ１と標準姿勢Ｐ２の両方で読み取りが許容される。
【００２７】
以上より、保持姿勢Ｐ０と給紙モードＭ０との許容される第一組合せＣＯ１は、以下の通りである。
（組合せ１）略水平姿勢Ｐ１と略水平給紙モードＭ１の組合せ
（組合せ２）標準姿勢Ｐ２と標準給紙モードＭ２の組合せ
（組合せ３）略水平姿勢Ｐ１と手差し給紙モードＭ３の組合せ
（組合せ４）標準姿勢Ｐ２と手差し給紙モードＭ３の組合せ
また、保持姿勢Ｐ０と給紙モードＭ０との禁止される第二組合せＣＯ２は、以下の通りである。
（組合せ５）略水平姿勢Ｐ１と標準給紙モードＭ２の組合せ
（組合せ６）標準姿勢Ｐ２と略水平給紙モードＭ１の組合せ
【００２８】
まず、画像読取装置１０に含まれる各要素を説明する。
読取部２０と原稿供給部２５を含む本体３０は、図２に示すように、ロック穴３１，３２，３３、ラック３８、及び、ポジションセンサー５５１，５５２，５５３を有し、支持部４０に対して回転軸３９を中心として傾動可能に支持されている。ポジションセンサー５５１，５５２，５５３は、図４に示す姿勢検出部５５の例である。ロック穴３１，３２，３３のいずれか一つに姿勢切替部５０のロックアーム５２が入ることにより、本体３０が複数の保持姿勢のいずれか一つに保持される。第一ロック穴３１にロックアーム５２が入ると、本体３０は略水平姿勢Ｐ１に保持される。第二ロック穴３２にロックアーム５２が入ると、本体３０は標準姿勢Ｐ２に保持される。第三ロック穴３３にロックアーム５２が入ると、本体３０は収納姿勢Ｐ３に保持される。ラック３８は、支持部４０のピニオン４８と噛み合っている。ラック３８とピニオン４８を含むラック機構は、回転軸３９を中心とした本体３０の傾動を円滑にする機能を有する。ポジションセンサー５５１，５５２，５５３は、それぞれ、ロック穴３１，３２，３３に配置されている。第一ロック穴３１に存在する第一ポジションセンサー５５１は、本体３０が略水平姿勢Ｐ１にロックされているか否かを検出する。第二ロック穴３２に存在する第二ポジションセンサー５５２は、本体３０が標準姿勢Ｐ２にロックされているか否かを検出する。第三ロック穴３３に存在する第三ポジションセンサー５５３は、本体３０が収納姿勢Ｐ３にロックされているか否かを検出する。ポジションセンサー５５１，５５２，５５３には、光センサーや磁気センサーといった非接触式センサー、リミットスイッチといった接触式センサー、等を用いることができる。
【００２９】
原稿供給部２５は、図４に示す搬送部２１とともに、搬送経路２８に供給される原稿ＯＲ１をスタックする給紙トレイ２６、及び、搬送経路２８から排出される原稿ＯＲ１を載置する排紙トレイ２７を備えている。給紙トレイ２６は、伸縮可能であり、本体３０において操作パネル１７がある正面の方へ傾動させることが可能である。排紙トレイ２７は、伸縮可能であり、本体３０において操作パネル１７がある正面の方へ傾動させることが可能である。本体３０が収納姿勢Ｐ３である場合に両トレイ２６，２７を短くして本体３０の正面の方へ傾動させると、画像読取装置１０が保管に適したコンパクトな姿になる。
【００３０】
支持部４０は、ラック３８と噛み合っているピニオン４８を備え、回転軸３９を中心として本体３０を傾動可能に支持している。支持部４０には、レバー回転軸５３を中心として傾動可能な姿勢切替レバー５１が取り付けられている。姿勢切替レバー５１の一端は支持部４０から出ており、姿勢切替レバー５１の他端には上述したロックアーム５２が固定されている。姿勢切替レバー５１には、不図示の弾性機構によりロックアーム５２を本体３０の方へ押す方向へ力が加えられている。ロックアーム５２は、本体３０が略水平姿勢Ｐ１である場合に第一ロック穴３１に入り、本体３０が標準姿勢Ｐ２である場合に第二ロック穴３２に入り、本体３０が収納姿勢Ｐ３である場合に第三ロック穴３３に入る。ユーザーが指で姿勢切替レバー５１の一端を上げると、ロック穴３１，３２，３３からロックアーム５２が外れ、本体３０を傾動させることができる。
【００３１】
本体３０の正面には、図３に示すように、操作パネル１７とモード切替部６０が配置されている。図３に示す操作パネル１７は、画面Ｄ０を表示する表示部１８、及び、該表示部１８の表面に貼り付けられたタッチパネルとしての操作受付部１９を備えている。モード切替部６０は、複数の給紙モードＭ０のいずれか一つを選択するためのモード切替スイッチ６１を有している。図３の拡大図に示すように、略水平給紙モードＭ１に略水平給紙アイコンＩＣ１が対応付けられ、標準給紙モードＭ２に標準給紙アイコンＩＣ２が対応付けられ、手差し給紙モードＭ３に手差し給紙アイコンＩＣ３が対応付けられている。
【００３２】
図４に示す画像読取装置１０は、電気系統として、プロセッサーであるＣＰＵ１２、半導体メモリーであるＲＯＭ１３、半導体メモリーであるＲＡＭ１４、時計回路１５、不揮発性メモリー１６、操作パネル１７、読取部２０、搬送部２１、通信インターフェイス２３、姿勢検出部５５、及び、モード切替スイッチ６１を備えている。ここで、ＣＰＵはCentral Processing Unitの略称であり、ＲＯＭはRead Only Memoryの略称であり、ＲＡＭはRandom Access Memoryの略称であり、図４に示すＩ／Ｆはインターフェイスの略称である。コンピューターを画像読取装置１０として機能させる制御プログラムＰＲ０は、ＲＯＭ１３と不揮発性メモリー１６の少なくとも一方に保持され、ＣＰＵ１２により実行される。ＣＰＵ１２は、ＲＡＭ１４をワークエリアとして使用しながらプログラムＰＲ０を実行することにより、操作パネル１７の制御処理、読取部２０の制御処理、搬送部２１の制御処理、原稿ＯＲ１の読み取りデータである画像データＤＡ１の出力処理、といった各種処理を行う。前述の要素１２〜１５は、制御部１１の例である。制御部１１を構成するプロセッサーは、一つのＣＰＵに限定されず、複数のＣＰＵ、ＡＳＩＣといったハードウェア回路、ＣＰＵとハードウェア回路との組合せ、等でもよい。ここで、ＡＳＩＣは、Application Specific Integrated Circuitの略称である。ＲＡＭ１４は、画像データＤＡ１を一時的に格納するバッファーを含んでいる。
【００３３】
不揮発性メモリー１６には、フラッシュメモリーといった半導体メモリー、ハードディスクといった磁気記録媒体、等を用いることができる。不揮発性メモリー１６は、プログラムＰＲ０を記憶すると、プログラムＰＲ０を記録したコンピューター読み取り可能な媒体となる。
【００３４】
操作パネル１７は、画面Ｄ０を表示する表示部１８、及び、画面Ｄ０に対する操作を受け付ける操作受付部１９を備えている。画面Ｄ０には、図６，９に例示する画面Ｄ１，Ｄ２，Ｄ３が含まれている。第一画面Ｄ１は、保持姿勢Ｐ０と給紙モードＭ０との許容される第一組合せＣＯ１を示している。第二画面Ｄ２は、保持姿勢Ｐ０と給紙モードＭ０との禁止される第二組合せＣＯ２を示している。第三画面Ｄ３は、本体３０が複数の保持姿勢Ｐ０のいずれにも保持されていないことを示している。表示部１８には、液晶パネルといった表示パネル等を用いることができる。操作受付部１９には、上述したタッチパネル、キーボードを含むハードキー、等を用いることができる。
【００３５】
搬送部２１は、読取部２０を通る搬送経路２８に設置された複数組のローラー対、複数のローラーの一部を回転駆動するサーボモーター、等を備え、給紙トレイ２６にセットされた原稿ＯＲ１を搬送経路２８に沿って排紙トレイ２７まで搬送する。複数枚の原稿ＯＲ１を連続して読取部２０に送る搬送部２１は、ＡＤＦや自動給紙装置と呼ばれる。ここで、ＡＤＦは、Auto Document Feederの略称である。原稿ＯＲ１は、紙が代表的であるが、合成樹脂シートといったシート状媒体でもよい。原稿ＯＲ１に現れているオブジェクトには、文字、写真、絵画、等がある。ただし、原稿ＯＲ１に白紙が混じることもある。
【００３６】
読取部２０は、搬送経路２８にある原稿ＯＲ１に光を照射する光源、光電変換するイメージセンサー、原稿ＯＲ１からの反射光をイメージセンサーに導く受光光学系、イメージセンサーから出力されるアナログ電気信号をデジタル画素値群に変換するアナログ−デジタル変換部、画素値群に基づく画像データＤＡ１をバッファーとしてのＲＡＭ１４に格納する画像データ格納処理部、等を備えている。原稿ＯＲ１に現れているオブジェクトを反射した光が受光光学系を通ってイメージセンサーにより電気信号に変換されると、イメージセンサーから出力される画素値群に基づく画像データＤＡ１がＲＡＭ１４に格納される。従って、搬送部２１により搬送された原稿ＯＲ１が読み取られることにより画像データＤＡ１が得られ、画像データＤＡ１がバッファーに格納される。このように、読取部２０は、原稿ＯＲ１を読み取ることにより画像データＤＡ１を生成する。
【００３７】
通信インターフェイス２３は、有線又は無線で接続された外部端末１００との間で所定の通信プロトコルに従ってデータを送受信する。通信インターフェイス２３と外部端末１００との接続は、ＬＡＮやインターネットといったネットワーク接続でもよいし、ＵＳＢ接続といったローカル接続でもよい。ここで、ＬＡＮはLocal Area Networkの略称であり、ＵＳＢはUniversal Serial Busの略称である。
【００３８】
画像読取システムＳＹ１に使用可能な外部端末１００は、パーソナルコンピューターやタブレット端末といったコンピューター、スマートフォンといった携帯電話、等、特に限定されない。画像読取装置１０は、ＲＡＭ１４に保持されている画像データＤＡ１を外部端末１００に送信可能である。
【００３９】
尚、画像読取装置１０は、スキャナー専用機に限定されず、印刷機能、ファクシミリ通信機能、電子メール送信機能、等の少なくとも一部も備えている複合機でもよい。また、画像読取装置１０は、一つの筐体内に全構成要素を有していてもよいが、互いに通信可能に分割された複数の装置で構成されてもよい。
【００４０】
ところで、図５Ａ，５Ｂに例示するように、略水平姿勢Ｐ１と略水平給紙モードＭ１との許容される第一組合せＣＯ１から標準姿勢Ｐ２と標準給紙モードＭ２との許容される第一組合せＣＯ１に切り替えることを想定する。まず、第一組合せＣＯ１でない状態から第一組合せＣＯ１の状態に切り替わると、図６の上部に示すサポート案内画面Ｄ１１が表示部１８に表示される。制御部１１は、操作受付部１９によりＯＫボタンＢ１への接触操作を受け付けると、図６に示すホーム画面Ｄ１２を表示部１８に表示させる。第一画面Ｄ１は、サポート案内画面Ｄ１１とホーム画面Ｄ１２を総称している。
【００４１】
図５Ａは、先にモード切替スイッチ６１の操作により給紙モードＭ０を切り替えてから姿勢切替レバー５１等の操作により本体３０の保持姿勢Ｐ０を変える例を示している。この場合、一時的に略水平姿勢Ｐ１と標準給紙モードＭ２との禁止される第二組合せＣＯ２の状態となる。図６の下部は、第二組合せＣＯ２の状態を示す非サポート案内画面としての第二画面Ｄ２を示している。また、図５Ｂは、先に姿勢切替レバー５１等の操作により本体３０の保持姿勢Ｐ０を変えてからモード切替スイッチ６１の操作により給紙モードＭ０を切り替える例を示している。この場合、一時的に標準姿勢Ｐ２と略水平給紙モードＭ１との禁止される第二組合せＣＯ２の状態となる。
さらに、標準姿勢Ｐ２と標準給紙モードＭ２との第一組合せＣＯ１から略水平姿勢Ｐ１と略水平給紙モードＭ１との第一組合せＣＯ１に切り替える場合も、一時的に第二組合せＣＯ２の状態となる。
【００４２】
禁止される第二組合せＣＯ２になるのは一時的であるにもかかわらず、非サポートを示す第二画面Ｄ２が表示されると、画面を見るユーザーにとって煩わしい。本体３０の姿勢と給紙モードＭ０の組合せが非サポートの状態であっても、その状態が非常に短い時間の場合、ユーザーによる設定の過渡期である可能性が高い。そこで、本具体例では、許容される第一組合せＣＯ１への切り替え時には即座にサポート案内画面Ｄ１１を表示する一方、禁止される第二組合せＣＯ２への切り替え時には図７に例示する第二時間Ｔ２の経過後に非サポートを示す第二画面Ｄ２を表示することにしている。
【００４３】
図７は、第一画面Ｄ１と第二画面Ｄ２の表示タイミングを模式的に例示している。図７に示す横軸は、時間ｔを示している。
図７の上部は、標準給紙モードＭ２から略水平給紙モードＭ１へのモード切替スイッチ６１の操作により第二組合せＣＯ２の状態から第一組合せＣＯ１の状態に切り替えられた例を示している。第二組合せＣＯ２の状態では、非サポートを示す第二画面Ｄ２が表示されている。モード切替スイッチ６１の操作時は、第一組合せＣＯ１でない状態から第一組合せＣＯ１の状態への切り替わり時点である。図７の上部に示す例では、モード切替スイッチ６１の切り替わりから若干の処理時間である第一時間Ｔ１の経過後にサポート案内画面Ｄ１１が表示される。第一時間Ｔ１は、例えば、１秒よりも短く、ミリ秒オーダー以下の時間でもよい。
【００４４】
図７の下部は、略水平給紙モードＭ１から標準給紙モードＭ２へのモード切替スイッチ６１の操作により第一組合せＣＯ１の状態から第二組合せＣＯ２の状態に切り替えられた例を示している。この場合の第二組合せＣＯ２の状態は、本体３０が略水平姿勢Ｐ１から標準姿勢Ｐ２に変更されるべき状態である。第一組合せＣＯ１の状態では、サポート案内画面Ｄ１１又はホーム画面Ｄ１２が表示されている。モード切替スイッチ６１の操作時は、第二組合せＣＯ２でない状態から第二組合せＣＯ２の状態への切り替わり時点である。図７の下部に示す例では、モード切替スイッチ６１の切り替わりから第一時間Ｔ１よりも長い第二時間Ｔ２の経過後に第二組合せＣＯ２の状態のままであれば非サポートを示す第二画面Ｄ２が表示される。実質的に第二画面Ｄ２の表示を遅延させる時間である第二時間Ｔ２は、画面の切り替え時間、本体３０の姿勢を変更する操作にかかる時間、モード切替スイッチ６１の操作にかかる時間、等を考慮して設定される。従って、第二時間Ｔ２は、通常１秒以上であり、例えば、５秒以上でもよい。
【００４５】
また、図８の上部に例示するように保持姿勢Ｐ０の変更後に給紙モードＭ０を変更する場合と、図８の下部に例示するように給紙モードＭ０の変更後に保持姿勢Ｐ０を変更する場合とで、第二時間Ｔ２を異ならせてもよい。図８の下部に示す例は、図７の下部に示した例と同じである。図８に示す横軸は、時間ｔを示している。
図８の上部に示す第一組合せＣＯ１の状態からユーザーが姿勢切替レバー５１の一端を引き上げると、第一ポジションセンサー５５１がロックアーム５２の退避を検出し、図９の上部に例示するように、本体３０が複数の保持姿勢Ｐ０のいずれにも保持されていないことを示す第三画面Ｄ３を制御部１１が表示部１８に表示させる。本体３０は、ロックアーム５２の退避により略水平姿勢Ｐ１から解放される。本体３０が標準姿勢Ｐ２になり、第二ロック穴３２にロックアーム５２が入ると、第二ポジションセンサー５５２がロックアーム５２を検出する。この時点が第二組合せＣＯ２でない状態から第二組合せＣＯ２の状態への切り替わり時点であり、図９に例示するホーム画面Ｄ１２が表示される。この場合の第二組合せＣＯ２の状態は、給紙モードＭ０が略水平給紙モードＭ１から標準給紙モードＭ２に変更されるべき状態である。図８の上部に示す例では、本体３０が標準姿勢Ｐ２にロックされた時点から第一時間Ｔ１よりも長い第二時間Ｔ２１の経過後に第二組合せＣＯ２の状態のままであれば非サポートを示す第二画面Ｄ２が表示される。一方、第二時間Ｔ２１の経過前にモード切替スイッチ６１の操作により第一組合せＣＯ１の状態になると、図９の下部に示すサポート案内画面Ｄ１１が表示される。
【００４６】
図８の下部に示す例では、給紙モードＭ０の変更により第二組合せＣＯ２の状態になった時点から第一時間Ｔ１よりも長い第二時間Ｔ２２の経過後に第二組合せＣＯ２の状態のままであれば、図９の下部に示すように非サポートを示す第二画面Ｄ２が表示される。尚、第二時間Ｔ２１，Ｔ２２は、本技術の第二時間Ｔ２に含まれる。
ここで、図８の上部に示す第二時間Ｔ２１は、第二組合せＣＯ２の状態に切り替わってから給紙モードＭ０が切り替わることにより第一組合せＣＯ１の状態になる場合の第二時間Ｔ２である。図８の下部に示す第二時間Ｔ２２は、第二組合せＣＯ２の状態に切り替わってから保持姿勢Ｐ０が切り替わることにより第一組合せＣＯ１の状態になる場合の第二時間Ｔ２であり、第二時間Ｔ２１よりも長い。
【００４７】
本体３０の保持姿勢Ｐ０を切り替える操作は、給紙モードＭ０を切り替える操作よりも時間がかかる。保持姿勢Ｐ０を変更する場合の第二時間Ｔ２２が比較的長いことにより、保持姿勢Ｐ０を切り替える操作の前に非サポートを示す第二画面Ｄ２に切り替わるという、煩わしさを感じさせる表示を回避することが可能である。また、給紙モードＭ０を切り替える場合の第二時間Ｔ２１よりも長いことにより、給紙モードＭ０を切り替えない時間が長くても非サポートを示す第二画面Ｄ２が表示されないという不都合を回避することが可能である。
【００４８】
（３）画像読取装置が行う処理の具体例：
図１０は、制御部１１が行う画面案内処理を模式的に例示している。この処理は、本体３０の姿勢が変更されたか給紙モードＭ０が変更されたことが検出された時に開始する。ここで、図７に示すように、第一組合せＣＯ１でない状態から第一組合せＣＯ１の状態に切り替わると第一画面Ｄ１を表示部１８に表示させる第一工程ＳＴ１は、ステップＳ１０２〜Ｓ１０４，Ｓ１３０に対応している。また、第二組合せＣＯ２でない状態から第二組合せＣＯ２の状態に切り替わってから第二時間Ｔ２が経過した後に第二画面Ｄ２を表示部１８に表示させる第二工程ＳＴ２は、ステップＳ１０２〜Ｓ１２８に対応している。以下、「ステップ」の記載を省略する。制御部１１は、マルチタスクにより複数の処理を並列して実行している。
【００４９】
画面案内処理が開始すると、制御部１１は、Ｓ１０２において、姿勢検出部５５から本体３０の姿勢を取得し、モード切替スイッチ６１から給紙モードＭ０の状態を取得する。例えば、本体３０が略水平姿勢Ｐ１にロックされていることを第一ポジションセンサー５５１が検出すると、制御部１１は、本体３０が略水平姿勢Ｐ１に保持されている情報を姿勢検出部５５から取得する。本体３０が標準姿勢Ｐ２にロックされていることを第二ポジションセンサー５５２が検出すると、制御部１１は、本体３０が標準姿勢Ｐ２に保持されている情報を姿勢検出部５５から取得する。本体３０が複数の保持姿勢Ｐ０のいずれにもロックされていないことをポジションセンサー５５１，５５２，５５３が検出すると、制御部１１は、本体３０が複数の保持姿勢Ｐ０のいずれにも保持されていない情報を姿勢検出部５５から取得する。モード切替スイッチ６１が略水平給紙モードＭ１の位置にあれば、制御部１１は、給紙モードＭ０が略水平給紙モードＭ１である情報をモード切替スイッチ６１から取得する。モード切替スイッチ６１が標準給紙モードＭ２の位置にあれば、制御部１１は、給紙モードＭ０が標準給紙モードＭ２である情報をモード切替スイッチ６１から取得する。
【００５０】
次に、制御部１１は、Ｓ１０４において、本体３０の姿勢と給紙モードＭ０の組合せがサポート外であるか否かに応じて処理を分岐させる。組合せがサポート外であることには、組合せが禁止される第二組合せＣＯ２である場合と、本体３０の姿勢が複数の保持姿勢Ｐ０のいずれにも保持されていない場合とが含まれる。組合せがサポート外でない場合は、組合せが許容される第一組合せＣＯ１である。この場合、制御部１１は、処理をＳ１３０に進め、図６の上部で示したサポート案内画面Ｄ１１、すなわち、サポートを示す第一画面Ｄ１を表示部１８に表示させる。サポート案内画面Ｄ１１は、第一組合せＣＯ１でない状態から第一組合せＣＯ１の状態に切り替わると、ごく僅かな処理時間である第一時間Ｔ１の経過後に表示される。その後、制御部１１は、画面案内処理を終了させる。
【００５１】
Ｓ１０４の判断処理において組合せがサポート外である場合、制御部１１は、Ｓ１０６において、画面案内処理が開始された契機が本体３０の姿勢の変更であったか否かに応じて処理を分岐させる。制御部１１は、画面案内処理開始の契機が本体３０の姿勢の変更であった場合に処理をＳ１０８に進め、画面案内処理開始の契機が給紙モードＭ０の変更であった場合に処理をＳ１２０に進める。
【００５２】
Ｓ１０８において、制御部１１は、本体３０が複数の保持姿勢Ｐ０のいずれかに保持されているか否かに応じて処理を分岐させる。本体３０が複数の保持姿勢Ｐ０のいずれにも保持されていない場合、制御部１１は、Ｓ１１０において不定画面、例えば、図９の上部で示した第三画面Ｄ３を表示部１８に表示させ、処理をＳ１０８に戻す。従って、本体３０が複数の保持姿勢Ｐ０のいずれにも保持されていない場合には、本体３０が複数の保持姿勢Ｐ０のいずれかに保持されるまでＳ１０８〜Ｓ１１０の処理が繰り返される。本体３０が複数の保持姿勢Ｐ０のいずれかに保持されている場合、制御部１１は、処理をＳ１１２に進め、図９で示したホーム画面Ｄ１２を表示部１８に表示させ、給紙モードＭ０を切り替える場合の第二時間Ｔ２１のタイマーを時計回路１５の利用により開始させる。第二時間Ｔ２１は、第一時間Ｔ１よりも長い。
【００５３】
タイマー開始後、制御部１１は、Ｓ１１４において、保持姿勢Ｐ０と給紙モードＭ０の組合せがサポート外であるか否かに応じて処理を分岐させる。組合せがサポート外でない場合、すなわち、許容される第一組合せＣＯ１である場合、制御部１１は、タイマーの終了を待たずに処理をＳ１３０に進め、図９の下部で示したサポート案内画面Ｄ１１を表示部１８に表示させる。従って、第二時間Ｔ２が経過する前に第二組合せＣＯ２の状態から第一組合せＣＯ１の状態に変わると、サポートを示す第一画面Ｄ１が表示される。その後、制御部１１は、画面案内処理を終了させる。
【００５４】
Ｓ１１４の判断処理において組合せがサポート外、すなわち、禁止される第二組合せＣＯ２である場合、制御部１１は、処理をＳ１１６に進め、タイマーが終了したか否かに応じて処理を分岐させる。タイマーが終了していない場合、制御部１１は、処理をＳ１１４に戻す。従って、組合せが許容される第一組合せＣＯ１に切り替わると、Ｓ１３０においてサポートを示す第一画面Ｄ１が表示され、画面案内処理が終了する。タイマーが終了した場合、制御部１１は、処理をＳ１１８に進め、図９の下部に示すように非サポートを示す第二画面Ｄ２を表示部１８に表示させる。従って、第二組合せＣＯ２でない状態から第二組合せＣＯ２の状態に切り替わってから第二時間Ｔ２が経過した後、非サポートを示す第二画面Ｄ２が表示される。その後、制御部１１は、画面案内処理を終了させる。
【００５５】
Ｓ１０６の判断処理において画面案内処理開始の契機が給紙モードＭ０の変更であった場合、制御部１１は、Ｓ１２０において、表示部１８による表示を変えずに、保持姿勢Ｐ０を切り替える場合の第二時間Ｔ２２のタイマーを時計回路１５の利用により開始させる。上述したように、第二時間Ｔ２２は第二時間Ｔ２１よりも長い。タイマー開始後、制御部１１は、Ｓ１２２において、本体３０が複数の保持姿勢Ｐ０のいずれかに保持されているか否かに応じて処理を分岐させる。本体３０が複数の保持姿勢Ｐ０のいずれにも保持されていない場合、制御部１１は、Ｓ１２４において不定画面、例えば、図９の上部で示した第三画面Ｄ３を表示部１８に表示させ、処理をＳ１２２に戻す。従って、本体３０が複数の保持姿勢Ｐ０のいずれにも保持されない状態となった場合には、本体３０が複数の保持姿勢Ｐ０のいずれかに保持されるまでＳ１２２〜Ｓ１２４の処理が繰り返される。
【００５６】
本体３０が複数の保持姿勢Ｐ０のいずれかに保持されている場合、制御部１１は、処理をＳ１２６に進め、保持姿勢Ｐ０と給紙モードＭ０の組合せがサポート外であるか否かに応じて処理を分岐させる。組合せがサポート外でない場合、すなわち、許容される第一組合せＣＯ１である場合、制御部１１は、タイマーの終了を待たずに処理をＳ１３０に進め、図９の下部で示したサポート案内画面Ｄ１１を表示部１８に表示させる。従って、第二時間Ｔ２が経過する前に第二組合せＣＯ２の状態から第一組合せＣＯ１の状態に変わると、サポートを示す第一画面Ｄ１が表示される。その後、制御部１１は、画面案内処理を終了させる。
【００５７】
Ｓ１２６の判断処理において組合せがサポート外、すなわち、禁止される第二組合せＣＯ２である場合、制御部１１は、処理をＳ１２８に進め、タイマーが終了したか否かに応じて処理を分岐させる。タイマーが終了していない場合、制御部１１は、処理をＳ１２２に戻す。従って、組合せが許容される第一組合せＣＯ１に切り替わると、Ｓ１３０においてサポートを示す第一画面Ｄ１が表示され、画面案内処理が終了する。タイマーが終了した場合、制御部１１は、処理をＳ１１８に進め、図６，９の下部に示すように非サポートを示す第二画面Ｄ２を表示部１８に表示させる。従って、第二組合せＣＯ２でない状態から第二組合せＣＯ２の状態に切り替わってから第二時間Ｔ２が経過した後、非サポートを示す第二画面Ｄ２が表示される。その後、制御部１１は、画面案内処理を終了させる。
【００５８】
図１１〜１４は、上述した画面案内処理に従って表示される各種画面を模式的に例示している。
図１１は、略水平姿勢Ｐ１と略水平給紙モードＭ１との許容される第一組合せＣＯ１から標準給紙モードＭ２への切り替えを経て第二時間Ｔ２２の経過前に標準姿勢Ｐ２への切り替えを行う例を模式的に示している。まず、第一組合せＣＯ１でない状態、例えば第二組合せＣＯ２の状態から第一組合せＣＯ１の状態に切り替わると、図１０で示したＳ１０２〜Ｓ１０４，Ｓ１３０の処理が行われ、サポート案内画面Ｄ１１が表示される。サポート案内画面Ｄ１１のＯＫボタンが操作されると、ホーム画面Ｄ１２が表示される。その後、モード切替スイッチ６１の操作により略水平給紙モードＭ１から標準給紙モードＭ２に切り替わると、図１０で示したＳ１０２〜Ｓ１０６，Ｓ１２０〜Ｓ１３０の処理が開始し、非サポートを示す第二画面Ｄ２は表示されず、第二時間Ｔ２２のタイマーが開始する。姿勢切替レバー５１の操作により本体３０が略水平姿勢Ｐ１から解放されると、Ｓ１２４において姿勢不定を示す第三画面Ｄ３が表示される。この時、図１１に示すように、制御部１１はタイマーを停止させてもよい。本体３０が標準姿勢Ｐ２に保持されると、Ｓ１３０においてサポート案内画面Ｄ１１が表示される。
【００５９】
図１２は、略水平姿勢Ｐ１と略水平給紙モードＭ１との許容される第一組合せＣＯ１から標準給紙モードＭ２への切り替え後に標準姿勢Ｐ２への切り替えが行われない例を模式的に示している。図１１の場合と同じくホーム画面Ｄ１２が表示された後、モード切替スイッチ６１の操作により略水平給紙モードＭ１から標準給紙モードＭ２に切り替わると、図１０で示したＳ１０２〜Ｓ１０６，Ｓ１２０〜Ｓ１２８，Ｓ１１８の処理が開始し、第二時間Ｔ２２のタイマーが開始する。本体３０の略水平姿勢Ｐ１が変化しないと、Ｓ１１８において非サポートを示す第二画面Ｄ２が表示される。
【００６０】
図１３は、略水平姿勢Ｐ１と略水平給紙モードＭ１との許容される第一組合せＣＯ１から標準姿勢Ｐ２への切り替えを経て第二時間Ｔ２１の経過前に標準給紙モードＭ２への切り替えを行う例を模式的に示している。図１１の場合と同じく第一組合せＣＯ１においてホーム画面Ｄ１２が表示された後、姿勢切替レバー５１の操作により本体３０が略水平姿勢Ｐ１から解放されると、図１０で示したＳ１０２〜Ｓ１１６，Ｓ１３０の処理が開始し、Ｓ１１０において姿勢不定を示す第三画面Ｄ３が表示される。本体３０が標準姿勢Ｐ２に保持されると、非サポートを示す第二画面Ｄ２は表示されず、Ｓ１１２においてホーム画面Ｄ１２が表示され、第二時間Ｔ２１のタイマーが開始する。モード切替スイッチ６１の操作により略水平給紙モードＭ１から標準給紙モードＭ２に切り替わると、Ｓ１３０においてサポート案内画面Ｄ１１が表示される。
【００６１】
図１４は、略水平姿勢Ｐ１と略水平給紙モードＭ１との許容される第一組合せＣＯ１から標準姿勢Ｐ２への切り替え後に標準給紙モードＭ２への切り替えが行われない例を模式的に示している。図１１の場合と同じく第一組合せＣＯ１においてホーム画面Ｄ１２が表示された後、姿勢切替レバー５１の操作により本体３０が略水平姿勢Ｐ１から解放されると、図１０で示したＳ１０２〜Ｓ１１８の処理が開始し、Ｓ１１０において姿勢不定を示す第三画面Ｄ３が表示される。本体３０が標準姿勢Ｐ２に保持されると、Ｓ１１２においてホーム画面Ｄ１２が表示され、第二時間Ｔ２１のタイマーが開始する。略水平給紙モードＭ１が変化しないと、Ｓ１１８において非サポートを示す第二画面Ｄ２が表示される。
【００６２】
以上説明したように、本体３０の保持姿勢Ｐ０と給紙モードＭ０とが一時的にサポートされていない第二組合せＣＯ２になっても、即座には非サポートを示す第二画面Ｄ２に切り替わらない。また、一時的な第二組合せＣＯ２が速やかに第一組合せＣＯ１に切り替わると、サポートを示す第一画面Ｄ１が表示される。保持姿勢Ｐ０と給紙モードＭ０の組合せ不一致状態において、非サポートを示す第二画面Ｄ２が不用意に表示されず、より適切なタイミングでユーザーに示される。従って、画像読取装置１０の画面Ｄ０を見たユーザーは、煩わしさを感じずに画像読取装置を使用することができる。
【００６３】
（４）変形例：
本発明は、種々の変形例が考えられる。
例えば、本体の複数の保持姿勢は、上述した保持姿勢Ｐ１〜Ｐ３以外の保持姿勢を含んでいてもよい。また、本体の複数の保持姿勢に収納姿勢Ｐ３が無くてもよい。むろん、本体の複数の保持姿勢に略水平姿勢Ｐ１が含まれることは、例示に過ぎない。例えば、本体の複数の保持姿勢に略水平姿勢が無く傾斜が互いに異なる複数の傾斜姿勢が含まれる場合も、本技術を適用可能である。
複数の給紙モードは、上述した給紙モードＭ１〜Ｍ３以外の給紙モードを含んでいてもよい。また、複数の給紙モードに手差し給紙モードＭ３が無くてもよい。
【００６４】
上述した実施形態では姿勢不定を示す第三画面Ｄ３を表示したが、第三画面Ｄ３を表示しない場合も本技術に含まれる。
上述した実施形態では保持姿勢Ｐ０が切り替わる場合の第二時間Ｔ２２を給紙モードＭ０が切り替わる場合の第二時間Ｔ２１よりも長くしたが、Ｔ２２＝Ｔ２１でも本技術を実施可能である。
【００６５】
ところで、組合せの非サポートを示す第二画面Ｄ２が表示されていなくても、禁止される第二組合せＣＯ２の状態であれば、原稿ＯＲ１の読み取り指示があっても原稿ＯＲ１を読み取ることができない。そこで、このような場合には、原稿ＯＲ１の読み取り指示を契機として第二画面Ｄ２が表示されると好適である。
図１５は、上述の表示を実現するための画面案内処理を例示している。この処理は、図１０で示した画面案内処理と比べて、太線で囲まれたＳ１４２，Ｓ１４４の処理が追加されている。図１５に示す例において、原稿ＯＲ１の読み取り指示を受け付ける操作受付部１９は、制御部１１の一部として機能する。
【００６６】
本体３０の姿勢と給紙モードＭ０との組合せがサポート外であり、Ｓ１１２において第二時間Ｔ２１のタイマーが開始し、Ｓ１１４において組合せがサポート外である場合、Ｓ１４２の判断処理が行われる。Ｓ１４２において、制御部１１は、操作受付部１９により原稿ＯＲ１のスキャン指示、すなわち、読み取り指示を受け付けたか否かに応じて処理を分岐させる。スキャン指示が受け付けられた場合、制御部１１は、タイマーの終了を待たずに、Ｓ１１８において非サポートを示す第二画面Ｄ２を表示部１８に表示させる。スキャン指示が無い場合は、タイマーが終了すれば第二画面Ｄ２が表示され、タイマーが終了する前に組合せが許容される第一組合せＣＯ１に切り替わるとＳ１３０において第一画面Ｄ１が表示される。
【００６７】
本体３０の姿勢と給紙モードＭ０との組合せがサポート外であり、Ｓ１２０において第二時間Ｔ２２のタイマーが開始し、Ｓ１２６において組合せがサポート外である場合、Ｓ１４４の判断処理が行われる。Ｓ１４４において、制御部１１は、操作受付部１９により原稿ＯＲ１のスキャン指示を受け付けたか否かに応じて処理を分岐させる。スキャン指示が受け付けられた場合、制御部１１は、タイマーの終了を待たずに、Ｓ１１８において非サポートを示す第二画面Ｄ２を表示部１８に表示させる。スキャン指示が無い場合は、タイマーが終了すれば第二画面Ｄ２が表示され、タイマーが終了する前に組合せが許容される第一組合せＣＯ１に切り替わるとＳ１３０において第一画面Ｄ１が表示される。
【００６８】
以上より、本体３０の姿勢と給紙モードＭ０とがサポートされていない組合せとなってから第二時間Ｔ２が経過する前であっても原稿ＯＲ１の読み取り指示に対して非サポートを示す第二画面Ｄ２が表示される。従って、図１５に示す例は、より適切に画像読取装置の状態を把握することができる。
【００６９】
また、組合せのサポート又は非サポートを示す情報は、アイコンの表示により示されてもよい。
図１６は、上述の表示を実現するための画面案内処理を例示している。この処理は、本体３０の姿勢が変更されたか給紙モードＭ０が変更されたことが検出された時に開始する。図１７は、図１６に示す画面案内処理における画面の変化を模式的に例示している。図１７の上部には、アイコンＩＣ１〜ＩＣ４の拡大図を示している。ここで、略水平給紙アイコンＩＣ１は略水平給紙モードＭ１におけるサポートを示すアイコンであり、標準給紙アイコンＩＣ２は標準給紙モードＭ２におけるサポートを示すアイコンであり、手差し給紙アイコンＩＣ３は手差し給紙モードＭ３におけるサポートを示すアイコンであり、非サポートアイコンＩＣ４は非サポートを示すアイコンである。表示部１８は、図１７に示すホーム画面Ｄ１２を表示しているものとする。図１６，１７に示す例において、アイコンＩＣ１〜ＩＣ４へのタップ、及び、原稿ＯＲ１の読み取り指示を受け付ける操作受付部１９は、制御部１１の一部として機能する。
【００７０】
画面案内処理が開始すると、制御部１１は、Ｓ２０２において、姿勢検出部５５から本体３０の姿勢を取得し、モード切替スイッチ６１から給紙モードＭ０の状態を取得する。次に、制御部１１は、Ｓ２０４において、本体３０が複数の保持姿勢Ｐ０のいずれかに保持されているか否かに応じて処理を分岐させる。本体３０が複数の保持姿勢Ｐ０のいずれにも保持されていない場合、制御部１１は、Ｓ２０６において不定画面、例えば、図９の上部で示した第三画面Ｄ３を表示部１８に表示させ、処理をＳ２０４に戻す。本体３０が複数の保持姿勢Ｐ０のいずれかに保持されている場合、制御部１１は、処理をＳ２０８に進め、保持姿勢Ｐ０と給紙モードＭ０の組合せがサポート外であるか否かに応じて処理を分岐させる。
【００７１】
組合せがサポート外である場合、制御部１１は、Ｓ２１０において、図１７に示すように非サポートアイコンＩＣ４を表示部１８に表示させる。次に、Ｓ２１２において、制御部１１は、操作受付部１９により非サポートアイコンＩＣ４へのタップを受け付けたか否かに応じて制御部１１が処理を分岐させる。非サポートアイコンＩＣ４へのタップが受け付けられた場合、制御部１１は、Ｓ２１６において非サポートを示す第二画面Ｄ２を表示部１８に表示させ、画面案内処理を終了させる。非サポートアイコンＩＣ４へのタップが無い場合、制御部１１は、Ｓ２１４において、制御部１１は、操作受付部１９により原稿ＯＲ１のスキャン指示を受け付けたか否かに応じて制御部１１が処理を分岐させる。スキャン指示が受け付けられた場合、制御部１１は、Ｓ２１６において図１７の下部に示すように非サポートを示す第二画面Ｄ２を表示部１８に表示させ、画面案内処理を終了させる。スキャン指示が無い場合、制御部１１は、処理をＳ２０２に戻す。
【００７２】
Ｓ２０８の判断処理において組合せがサポート外でない場合、制御部１１は、Ｓ２１８において、サポートを示すアイコンＩＣ１〜ＩＣ３のうち現在の給紙モードＭ０に対応するアイコンを表示部１８に表示させる。次に、Ｓ２２０において、制御部１１は、操作受付部１９によりアイコンへのタップを受け付けたか否かに応じて制御部１１が処理を分岐させる。アイコンへのタップが受け付けられた場合、制御部１１は、Ｓ２２２において図１７の下部に示すようにサポートを示す第一画面Ｄ１であるサポート案内画面Ｄ１１を表示部１８に表示させ、画面案内処理を終了させる。アイコンへのタップが無い場合、制御部１１は、処理をＳ２０２に戻す。
【００７３】
以上より、禁止される第二組合せＣＯ２でない状態から一時的に第二組合せＣＯ２の状態に切り替わっても、原稿ＯＲ１の読み取り指示があるまでは非サポートを示す第二画面Ｄ２に切り替わらない。第二組合せＣＯ２の状態であるＳ２１４において原稿ＯＲ１の読み取り指示があると、第二画面Ｄ２が表示される。図１６，１７に示す例では、保持姿勢Ｐ０と給紙モードＭ０とが禁止される第二組合せＣＯ２において設定やメンテナンス操作等、スキャン以外の操作が可能であるため、スキャン指示を契機とした第二画面Ｄ２の表示により利便性が向上している。また、サポートを示す第一画面Ｄ１が表示されていない状態でもサポートを示すアイコンがタップされると第一画面Ｄ１が表示され、非サポートを示す第二画面Ｄ２が表示されていない状態でも非サポートを示す非サポートアイコンＩＣ４がタップされると第二画面Ｄ２が表示される。従って、画像読取装置１０の画面Ｄ０を見たユーザーは、煩わしさを感じずに画像読取装置を使用することができる。
【００７４】
（５）結び：
以上説明したように、本発明によると、種々の態様により、ユーザーに煩わしさを感じさせない画像読取装置等の技術を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７５】
１０…画像読取装置、１１…制御部、１５…時計回路、１７…操作パネル、１８…表示部、１９…操作受付部、２０…読取部、２５…原稿供給部、３０…本体、４０…支持部、５０…姿勢切替部、５１…姿勢切替レバー、５５…姿勢検出部、５５１，５５２，５５３…ポジションセンサー、６０…モード切替部、６１…モード切替スイッチ、１００…外部端末、ＣＯ１…第一組合せ、ＣＯ２…第二組合せ、Ｄ１…第一画面、Ｄ１１…サポート案内画面、Ｄ１２…ホーム画面、Ｄ２…第二画面、Ｄ３…第三画面、ＤＡ１…画像データ、ＩＣ１，ＩＣ２，ＩＣ３，ＩＣ４…アイコン、Ｍ０，Ｍ１，Ｍ２，Ｍ３…モード、ＯＲ１…原稿、Ｐ０…保持姿勢、Ｐ１…略水平姿勢、Ｐ２…標準姿勢、Ｐ３…収納姿勢、Ｔ１…第一時間、Ｔ２，Ｔ２１，Ｔ２２…第二時間。
【図１】
2020191611.tif 000003
【図２】
2020191611.tif 000004
【図３】
2020191611.tif 000005
【図４】
2020191611.tif 000006
【図５】
2020191611.tif 000007
【図６】
2020191611.tif 000008
【図７】
2020191611.tif 000009
【図８】
2020191611.tif 000010
【図９】
2020191611.tif 000011
【図１０】
2020191611.tif 000012
【図１１】
2020191611.tif 000013
【図１２】
2020191611.tif 000014
【図１３】
2020191611.tif 000015
【図１４】
2020191611.tif 000016
【図１５】
2020191611.tif 000017
【図１６】
2020191611.tif 000018
【図１７】
2020191611.tif 000019